(57)【要約】【課題】家屋リフォーム等の工事を一切必要とせずに極く簡易な設置要領により倒壊時の安全を防護することのできる倒壊時安全防護方法を提供することにある。【解決手段】平常時には、平面形状が四角形で一定以上の厚みを有する直方体とされた発泡スチロール製のベッドベースの複数個を就寝する人の頭側から足側へと並ぶように前後に隣合わせて配置してその上に敷布団などの就寝するための寝具を載置することで就寝を可能とし、地震発生時には、これらベッドベースのうち１個を選んで他方に対し相対的に移動させて避難スペースを形成することで同スペース内に人が避難して高いベッドベースの存在により家屋倒壊から避難する人を防護するようにする。【選択図】図１
2007195940.tif 000002
【特許請求の範囲】
【請求項１】
平常時には、平面形状が四角形で一定以上の厚みを有する直方体とされた発泡スチロール製のベッドベースの複数個を就寝する人の頭側から足側へと並ぶように前後に隣合わせて配置してその上に敷布団などの就寝するための寝具を載置することで就寝を可能とし、地震発生時には、これらベッドベースのうち１個を選んで他方に対し相対的に移動させて避難スペースを形成することで同スペース内に人が避難して高いベッドベースの存在により家屋倒壊から避難する人を防護するようにする倒壊時安全防護方法。
【請求項２】
平常時には、畳上に敷設された敷布団などの就寝するための寝具の両側に発泡スチロール製のサイドガードブロックを配置しておく一方、地震発生時には、これらのサイドガードブロック間が安全空間となって家屋倒壊から就寝する人を防護するようにする倒壊時安全防護方法。
【請求項３】
請求項２に記載の方法において、サイドガードブロック間に上ガード材を渡して防護するようにする倒壊時安全防護方法。
【発明の詳細な説明】
【技術分野】
【０００１】  本発明は、倒壊時安全防護方法に関する。
【背景技術】
【０００２】  大地震が発生した場合、家屋によっては倒壊することもあるが、その安全防護対策は遅々として進んでいないのが実情である。
【発明の開示】
【発明が解決しようとする課題】
【０００３】  それは地震の経験から編み出された種々の対策方法が工事を伴うものであるためである。
上記に鑑み、本発明は、家屋リフォーム等の工事を一切必要とせずに極く簡易な設置要領により倒壊時の安全を防護することのできる倒壊時安全防護方法を提供することにある。
【課題を解決するための手段】
【０００４】  上記課題を解決するため、請求項１記載の発明は、平常時には、平面形状が四角形で一定以上の厚みを有する直方体とされた発泡スチロール製のベッドベースの複数個を就寝する人の頭側から足側へと並ぶように前後に隣合わせて配置してその上に敷布団などの就寝するための寝具を載置することで就寝を可能とし、地震発生時には、これらベッドベースのうち１個を選んで他方に対し相対的に移動させて避難スペースを形成することで同スペース内に人が避難して高いベッドベースの存在により家屋倒壊から避難する人を防護するようにする。
請求項２記載の発明方法は、平常時には、畳上に敷設された敷布団などの就寝するための寝具の両側に発泡スチロール製のサイドガードブロックを配置しておく一方、地震発生時には、これらのサイドガードブロック間が安全空間となって家屋倒壊から就寝する人を防護するようにする。
請求項３記載の発明方法は、請求項２に記載の方法において、サイドガードブロック間に上ガード材を渡して防護するようにする。
【発明の効果】
【０００５】  本発明方法によれば、家屋リフォーム等の工事を一切必要とせずに極く簡易な設置要領により倒壊時の安全を防護することのできる倒壊時安全防護方法を提供することができる。
【発明を実施するための最良の形態・実施例】
【０００６】  以下各実施形態で説明される案は他の実施形態でも同様に適用されるものとする。
図１は強化発泡スチロール（ＥＰＳ）製で幅Ｗが１．２ｍ、奥行Ｌが７０ｃｍ、高さＨが５０ｃｍ前後のブロック状をしたベッドベース４８…の３個を完全分離方式で直列に並べることができるようにして１つのシングルベッドを構成できるようにしてある。このベッドベース４８…の個々には、図示しないが外装カバーが布や樹脂シートとして付される。このカバーはファスナー開閉方式でもよい。
【０００７】  これらのベッドベース４８…は、その上に敷布団を敷き毛布や枕、掛け布団を所要のようにセットして通常の睡眠が可能となっている。そして、地震時には、ベッドベース４８相互間を開いて隙間をつくることでそこにもぐり込めば倒壊などがあっても助かるものである。同ベッドベース４８…は、図２の右下欄のように立て掛けて一定の安全スペースをつくるようにしてもよい。この場合、同図のようにベッドベース４８…相互をヒンジや通し紐で連結しておいてもよい。
【０００８】  図２は他の避難方式を示す。図１の２つのベッドベース４８，４８を離間して立ててその上のホルダー４９で対向壁とし、ホルダー４９の上に残る１つのベッドベース４８を水平に載せて完成する。
【０００９】  図３（平面図）、図４（側面図）、図５（作用を示す側面図）および図６（一部切断側面図）は他の実施形態を示し、同実施形態は、ベッドベース５０，５０をその長手方向に２分割（あるいは２つ合わせ）式にしたものであって、図例ではシングルサイズを示す。
【００１０】  各ベッドベース５０は、内部が高密度の発泡スチロール（ＥＰＳ）製の本体５１で、その外面に強靭な布や樹脂繊維質シート、樹脂ネットなどでなる外装カバー５２が密着して包まれている。本体５１は、平面が約１．２ｍ□、高さが５０ｃｍ前後のブロック状をしたもので、そのコーナーは面取り部５３…となっていて、２つのベッドベース５０，５０が合わさるとその合わせ面の両端にＶ（あるいはＵ）溝５３ａが形成されるようになっている。このＶ字溝５３ａは、非常時に手を掛ける溝となる。前記外装カバー５２は、図６に仮想線で示すようにファスナー５４で開閉される方式にしてもよい。
【００１１】  これらのベッドベース５０…は、図３および図４のように、直列に並べられてその上に和風あるいは洋風の平敷装具（敷布団など）５５や図示しない敷き毛布や掛け毛布などが敷設されるとともに、枕５６や掛け布団５７を所定のようにセットして通常の睡眠が可能となっている。
２つのベッドベース５０は、１辺の幅間にマグネット５８が内蔵されており、これらのマグネット５８，５８は完全に合着するのでなく少しのスキマを残して引き合う関係になっている。したがって、非常時にはベッドベース５０，５０相互は一定以上の軽い力で互いに外れることができる。面ファスナーで相互に結合するようにしてもよい。また、図３に破線で示すように、平面コの字枠状をしたロック具６０を両ベッドベース５０，５０間に差し込んで相互の位置決めをし、非常時には矢印のように抜き去ることで両ベッドベース５０，５０がフリーに移動可能になるように横成してもよい。このロック具６０は、上からベッドベース５０，５０に差し込むようにしてもよい。図３の下欄に他の例を示すように、角溝５９ａになるようにコーナーに角切り欠き５９を設けてもよい。
【００１２】  地震が発生した時（初期Ｐ波伝播時）には、図５に示すように、飛び起きて平敷装具５５や掛け布団５７などを一方のベッドベース５０上に折り畳み、ベッドベース５０、５０相互間を開いて避難空間Ｓをつくることでそこにもぐり込めば、地震で家屋が倒壊してきても倒壊物がベッドベース５０，５０上に先に当って避難者６２は助かるものである。地震を感知して警報を発する地震センサーをベッドベース５０に装備したりそれ以外の場所に設置しておいてもよい。
【００１３】  尚、避難空間Ｓ上が空くことを避けるため、図５の仮想線のように、平敷装具５５や掛け布団５７などを折り畳まない状態にしておくかあるいは折り畳み後に再度展ばしておくようにすれば安全度が向上する。
【００１４】  また、ベッドベース５０，５０上に移動可能なベース板６１を敷設しておいてこれが図５の仮想線のように防御壁になるようにしてもよい。このベース板６１は合板やプラスチック板、ゴム板、あるいはこれらの複合板などで構成することができる。
【００１５】  さらに、図６に示すように、外装カバー５２は、単に包むものでなく、同カバー５２を強靭な材質にするとともに本体５１に対して強力に密着するように接着により一体化してもよい。このようにすることで、ベッドベース５０自体を強化することができ、例えば、上方から倒壊による衝撃力が作用してもその際の割れや破損などを極力防止することができるようになる。
【００１６】  また、前記外装カバー５２は、前記実施形態では一重のものであったが、二重あるいは３重などの複数層にしてもよい。同カバー５２は、ＦＲＰ製とされることもある。このＦＲＰの外に布などの外装カバーを付してもよい。この場合、外装カバーとＦＲＰとの間には布団基材やゴムやウレタンなどを入れて柔軟性をもたせてもよい。
さらに、外装カバー５２は、吹き付け塗着したものでもよく、この場合、質感は柔軟なものが好ましい。
【００１７】  また、図６に破線で示すように、ベッドベース５０には、横通し式に１本あるいは上下複数本の牽き線材６３を通してアンカー板６４により外部固定されるようにしてもよい。この場合、牽き線材６３は、形成された通孔に通されるもので、材料はロープ・ワイヤ・リンクチェーン・針金・ボルトなどとし、その両端にアンカーを付して前記アンカー板６４に締め付け固定するようにする。この牽き線材６３は、図６に示す方向に直交する方向にも配してもよい。
さらに、図４のように、ベッドベース５０と外装カバー５２との間にはスリップ止め６５を装入して平常時のベッドベース５０，５０相互のずれを防止する一方において非常時は剥がすとベッドベース５０の分離が自在になるようにしてもよい。同図のようにスリップ止め６５の下裏面に反発材６５ａを付しておいて布団５５の重さＷが作用すると潰れてスリップ止め６５がベッドベース５０側に面接触し布団５５を揚げると面接触が解除されてベッドベース５０を移動可能にさせるものにしてもよい。このスリップ止め６５を廃し、同スリップ止め機能を外装カバー５２の上面自体にもたせてもよい。
【００１８】  図７の実施形態は、強化発泡スチロール（ＥＰＳ）製の本体６６の上に上層体６７を設け、それらをまとめて外装カバー６８で包み込んだものをベッドベース６９としたものであり、上層体６７は、本体６６に比較して厚さが薄く、例えば、５ｃｍ〜１０ｃｍのもの（この寸法範囲に限定されない）になっている。
上層体６７は、発泡スチロール製であったり、ゴムやウレタンなど他の材質でもよい。合板や樹脂板、パンチング板材のこともある。これらのうち複数種を選択して上下に重合させることもある。
尚、右欄に示すように、上層体６７は上面を波形にしたり上下両面を波形にして緩衝機能をもたせてもよい。前記波部で形成される凹所は空気層を形成して緩衝に有効に機能する。前記上層体６７は、２層・３層のように複数層であってもよい。
【００１９】  図８の実施形態は、略同じ厚さの上本体７４と下本体７５の２層の発泡スチロール（ＥＰＳ）からなり、外装カバー７６を被覆してベッドベース７７を作ってある。両本体７４，７５は接着してもよい。上本体７４が上からの衝撃で破損しても下本体７５に伝わりにくい。同図右欄のように、下本体７５を高密度で強靭な発泡スチロール（ＥＰＳ）とし上本体７４はそれより柔らかい発泡スチロールとしてもよいし、上本体７４には横孔７８を空けておいてもよい。
【００２０】  図９の実施形態は、本体８２に上層体８３を重ね合わせたものあるいは図８のように上下の本体が同じ厚さとされたものなど、上下複数層に分かれ外装カバー８４で被覆した分割合体式ベッドに使用され得るベッドベース８５であって、本体８２と上層体８３との上下間に上からの衝撃負荷を下へ伝えない中間断力層８６を介装したものである。
これらの層８２，８３，８６は相互に接着してもよい。
また、中間断力層８６は、例えば、合板・ゴム板・網材・プラスチック板・アルミ板・鉄板・波板・パンチング板・スチールメッシュなどを使用できる。同図右欄に示すように、中間断力層８６を上層ａと下層ｂとすることがある。この場合、上層ａをゴム板とし下層ｂを合板などとしてもよい。その逆もできる。さらに、上層体８３の上に上断力層８７を介装してもよく、この材料も前記合板・ゴム板などとすることができるし、上断力層８７も複数層にしてもよい。
図６から図１０のベッドベースはそれを単一個で使用し（こうした単一個での使用時にはベッドベースとは呼ばず避難用ブロックという）、例えば、和風敷布団（洋風ベッドクッションも含む）の頭部横脇や頭上側などの畳上面に設置して倒壊時の安全空間の確保を図るようにすることもできる。この場合、図９の５０ｃｍ高さのものを複数積み重ねるものにしたり、それより高い１ｍ立体ブロックのものにすることがある。その底面には、粘着パッドを介装して固定化することができる。また、発泡スチロールの中に凹所を設けてその中に非常時用品（水入りＰＥＴボトルや消火器、非常食料品など）を入れたり倒壊時の抵抗部材を入れておくことができる。これらのことは以下の実施形態でも同様にいえることである。
【００２１】  図１０および図１１の実施形態は、発泡スチロール（ＥＰＳ）である下の本体９０の上に上層体９１を構成し外装カバー９２で被覆したものであって、前記上層体９１を角材のように形成してこれらを横方向に分割配列したものとしてある。この上層体９１も発泡スチロール製であるが、木質・樹脂質・ゴム質などでもよいし、右欄に示すように中間断力層９３を介装してもよい。上断力層を付してもよい。
このように上層体９１を分割式にしておくと、上方からの衝撃が作用しても本体９０まで伝わりにくい。特に、中間断力層９３を介装しておくとその効果は大きい。
【００２２】  尚、本体９０と上層体９１とは互いに接着して一体化してもよい。上層体９１…の隣り合う面は相互接着する場合と接着しない場合とがある。図１０の右欄に示すように、平面上の縦横に分割した形の上層体９４にしてもよい。
【００２３】  図１２および図１３の実施形態は、本体９７上に分割式の上層体９８…を配し、その間に中間断力層９９を介装するとともに外装カバー１００で包み込んだベッドベース１０１であって、特に、上層体９８…間に介装板１０２…を設けるとともに図１３の両端にアンカー板１０３を配し、複数の上層体９８…に直交するように挿通された複数本のロープやワイヤなどの牽き材１０４…を端部でアンカー固定して全体を圧縮状態にして締め付け一体化してある。こうした上層体９８…は、緩衝ユニットとして他の実施形態でも衝撃を受け止めるため適用され得るものである。
【００２４】  上層体９９が１枚ものであれば上からの衝撃荷重により底面が強い引っ張り力を受けて破損しやすいが、この分割式上層体９９…によれば、上からの衝撃荷重に対して破損しにくくしかも中間断力層９９があるので本体９７まで荷重を伝達しにくくなる。特に、図１３の右欄に示すように、牽き材１０４を上下２段階に配すと、上からの荷重が作用した場合、その荷重を牽き材１０４の張ってある水平方向の抵抗力として受け破損を防止する。尚、同図のように上下２段に分割式を採用してもよい。
【００２５】  図１４および図１５の実施形態は、３分割式のベッドベース１０７の上に敷板１０８を載せ、その上に敷布団やクッションなどの平敷装具１０９を敷いてなるもので、中間のベッドベース１０７は平常時に差し込まれた形になっているが、地震時には、図１４の矢印のように抜き出して抜き出しにより形成される避難空間内に避難できるようになっている。中間のベッドベース１０７には抜き出しやすくするための引き手１１０が取り付けられている。１１１は本体、１１２は外装カバーである。
【００２６】  尚、前記中間のベッドベース１０７は省略することもある。
また、ベッドヘッド１１３も発泡スチロール製として図１５の仮想線のように非常時に平敷装具１０９上に載せてガードにすることができる。
さらに、中間のベッドベース１０７は図１４の破線のように２分割にして抜き出しやすいようにしてもよい。また、同ベッドベース１０７は図１５の仮想線矢印のように非常時に平敷装具１０９上に載せてガードにしてもよい。
さらに、他のベッドベース１０７には、収納凹所１１４を設けてその中に水入りＰＥＴボトルや非常食などを入れておくことができる。これらが重量物となってベッドベース１０７それ自体の位置ずれを防止する。底面に粘着パッド１１５を配してより定着化してもよい。前記他のベッドベース１０７は、引き出しを別途装備して収納部付きのものにしてもよい。前記凹所１１４をベッド側方へ開放状にしてその側面開口に扉を付けて収納部にしてもよい。これらの収納部に入れる対象は特に限定しない。中間のベッドベース１０７も収納式にしてもよい。同ベッドベース１０７の収納は、前記非常時の抜き出しをしやすくするため、軽いものを入れるものとする。
前記ベッドヘッド１１３は発泡スチロールとしてあるが、木質や樹脂質などでもよい。また、同ヘッド１１３は、その全体が非常時にベッド上にくるようにされているが、上部のみをベッド上にくるようにしてもよい。
さらに、前記実施形態では、中間のベッドベース１０７を構成していたが、このベッドベース１０７は省略することもある。
【００２７】  図１６の実施形態は、前後と中間に上向きに伸びる止め突片１１８…を有する底枠１１９上に、中間に避難空間Ｓがあるようにして２つのベッドベース（外装カバー付発泡スチロールブロック）１２０，１２０を接着や止め付けなどにより固定セットし、両ベッドベース１２０，１２０上には、和式あるいは洋式の敷材１２１を敷設するとともに、この敷材１２１上に平敷装具１２２や掛け布団１２３などの寝装具をセットしたもので、敷材１２１は容易には曲がらない右欄図のような波板（あるいはハニカムなどのコア材）１２４と上下板１２５のサンドイッチ方式の軽量強靭なものとする。
【００２８】  １２６はベッドヘッドで、外装カバー付発泡スチロール（ＥＰＳ）や木質などによる軽量で強靭なものとされ、ヘッド側のベッドベース１２０と止め突片１１８間に基部が挟まれて立ち上がるようにセットされている。図示は非常時（地震避難時）の様子を示し、同ベッドヘッド１２６を上へ抜き上げて平敷装具１２２上の中央に載せ余裕があれば掛け布団１２３をその上に掛けて避難空間Ｓ内に避難するようにする。ベッドヘッド１２６は、掛け布団１２３上にそのまま載せてもよい。ベッドヘッド１２６に掛け布団１２３や平敷装具１２２などがすべてガード役として有効に機能し倒壊から避難者が完璧に護られる。
【００２９】  尚、図１７の下左欄のように避難空間Ｓはベッドヘッド１２６寄りに設けてもよい。また、下中間欄の図のように、前後に分かれたベッドベース１２０に代え、１ブロック式のベッドベース１２８としてその中間部に下方および側方開放型の避難空間Ｓを形成してもよい。その形はコーナーにＲ部を有する逆Ｕ字状のものやアーチ状のものにしてもよい。この場合、ベッドベース１２８を底枠１１９に接着などにより接合することによりベッドベース１２８の破損を防止する。さらに、前後にベッドベース１２０を配す場合、下欄右端に示すように、避難空間Ｓを空間保護枠１２９で形成すれば防護機能が有効になる。
【００３０】  尚、ベッドヘッド１２６それ自体には、軽量化を保つ範囲内で収納部を構成してもよい。ベッドベース１２０，１２８についても収納部を構成することができる。また、ベッドヘッド１２６には、開放感・美的処理として丸穴や角穴などをあけてもよい。
【００３１】  図１８から図２０の実施形態は、外装カバー付で発泡スチロール内蔵の単一ブロック式のベッドベース１３３を本体として備え、同ベッドベース１３３の上には敷板１３４を載置あるいは接着固定、止め付けなどにより装備したうえで、平敷装具１３５や掛け布団１３６などの所要の寝装具を設けたものであって、特に、ベッドヘッド１３７の他にサイドボード（あるいはサイドブロック）１３８を組み合わせたものである。これらベッドヘッド１３７およびサイドボード１３８は共に外装カバー付発泡スチロール製である。
尚、ベッドヘッド１３７およびサイドボード１３８の上部には、外装カバー付発泡スチロール製の上部緩衝体１３９の上下に断力層１４０，１４０を備えてサンドイッチ式にした緩衝構造体が一体化されているが、これは省略することもできる。
【００３２】  これらに基づく第１の案は、図示の態勢のままで地震対策品とするものである。すなわち、ベッドベース１３３・ベッドヘッド１３７・サイドボード１３８をすべて結合して一体化することで倒壊から就寝者を護ろうとするものである。これらの結合は接着・止め付けなどにより、止め付けは、内芯線状材（ロープ・ワイヤ・リンクチェーン・ボルトなど）によるものとする。
【００３３】  第２の案は、図１９の仮想線、図２０の仮想線のように、ベッドベース１３３に避難空間Ｓを形成するもので、同空間Ｓを形成するだけの案と、避難者のより高度な安全確保のためサイドボード１３８（あるいはベッドヘッド１３７）を上に載せる案とがある。
【００３４】  図２１ないし図２３の実施形態は、地震で倒壊する家屋の構造部材などから就寝中の人を護るためになされたものである。
これらの図において、６００は畳、６０１は敷布団、６０２は枕、６０３は掛布団をそれぞれ示し、毛布類は必要に応じて設けられるがここでは図示省略してある。これらでなる和式寝具セットは通常のように畳６００の上に敷設されて図示はその就寝中の様子をあらわしている。畳以外の通称されるフロアーその他の対象に敷設されることもある。
【００３５】  これらのセットに対し、６０５は図３から図６でも示すように発泡スチロール（ＥＰＳ）製ブロックに一部加工をしたものを本体とするサイドガードブロックを示し、その外面に外装被覆を施して構成する。同サイドガードブロック６０５はその左右一対を前記寝具セットの横脇に縦長状で互いに平行になるように配備して１つのガードセットを構成する。
尚、ここに採用する発泡スチロールは、圧縮強さが約２８Ｎ／ｃｍ２（許容圧縮応力１４Ｎ／ｃｍ２）、密度２７〜３１ｋｇ／ｍ３のものとするがこれに限定されない。
【００３６】  各サイドガードブロック６０５は、高さＨを４５センチ前後、幅Ｗを５０ｃｍ、長さＬを２ｍとするもので、高さＨを４５ｃｍ前後としたのはその上に腰掛け可能に配慮したもので、幅Ｗを５０ｃｍとしたのは定尺発泡スチロール場合が１ｍでそれを２分割してブロックとする意味からそうしたもので、また長さＬを２ｍとしたのは定尺が２ｍでそのまま利用するようにした背景がそれぞれある。長さＬは、寝具セット全体を長さ方向において余裕をもって包み込む長いものになっている。
【００３７】  サイドガードブロック６０５は、就寝する人の頭部側が高く脚側が半分程度に低く段差部６０７として形成されている。全体をＨの高さにしてもよい反面、前記のように一部を低くすると審美的でもあるし低い個所を通じて出入りが容易にもなる。
これらサイドガードブロック６０５の頭部両サイドに対応する個所には、通覧口６０６が開口され、この開口６０６の存在により、閉塞感が軽減するようになっている。尚、同通覧口６０６は、その外部を塞いだりメッシュ状部材を設けるなどして内部を収容空間としてもよい。勿論開口６０６は開口したままでその中に何かを飾ったりしてもよい。
【００３８】  これら一対のサイドガードブロック６０５，６０５を寝具両サイドに配置し、それらを掛布団６０３より少し広くして位置決めをしておく。その位置決めのため、薄鉄板やプラスチック板、木質材（ベニヤも含む）などを使用したロックセット６０８をサイドガードブロック６０５の前後に一対配備してある。
【００３９】  ロックセット６０８は、就寝する人の出入りの邪魔にならず安全であることを考慮して平坦なものを基本としてある。同セット６０８は、バンドの挿脱機構のようなもので、メス側部材６０９とオス側部材６１０とからなり、両部材６０９，６１０の外部側の端部には、サイドガードブロック６０５の幅に合致する一対の把持突片６１１を備えてサイドガードブロック６０５の下部を掴むようになっている。また、メス側部材６０９の内端には、扁平筒状をした挿通受部６１２とロックネジ６１３が設けられる一方、オス側部材６１０の内端は挿通受部６１２に嵌るように少し高くなった挿通部６１４が形成されている。
これらにより、把持突片６１１間にサイドガードブロック６０５が把持された状態で挿通部６１４と挿通受部６１２とを進退調整してロックネジ６１３を締め付けることで所望の幅を得ることができるのである。
【００４０】  尚、頭部側のロックセット６０８は、図２２に示す低い状態とは逆様の状態で取り付けて倒壊からのガード役を兼ねるようにしてもよい。
また、図２２の段差部６０７それ自体に凹みを形成してその中を収納部としたり、段差部６０７上に別体のブロックを付加してその中を収納部としてもよい。
さらに、図２３の左下欄に示すように、ロックセット６０８を帯長状の１枚の板としその両端に長孔６１５を設けておいてサイドガードブロック６０５を通じて止着具６１６で幅方向に調整自在に止め付けるように構成してもよい。
また、前記段差部６０７はないものにしてもよい。
【００４１】  また、前記サイドガードブロック６０５は、家具底敷のような粘着ゲルマットや面ファスナー、両面テープなどを使用して固定化することもできる。段差部６０７に設けた凹みや同段差部６０７上に別体配備したタンクにより水タンクを構成し、その重量でもって位置決めをするように構成してもよい。これらすべてのことは他の実施形態でも適用がある。
【００４２】  図２４および図２５の実施形態は、寝具６０１・６０２・６０３により就寝する人の横脇に左右一対のサイドガードブロック６２０を配備してロックセット（前記長孔付扁平板と止着具の組み合わせや面ファスナーなどによってもよい）６２１で幅を所望に固定して就寝する人を倒壊から護るようにしたものにおいて、特に就寝する人の上方空間であるサイドガードブロック６２０，６２０間での倒壊からの危険をなくすようにしたものである。
【００４３】  サイドガードブロック６２０側は、図２５に示すように、図２１から図２３に示すものを基本寸法とし、その上で２段階の第１段差部６２２と第２段差部６２３とを高さＨレベルから段階的に下がるように形成されている。
【００４４】  サイドガードブロック６２０の最上面（高さＨに相当）には、縦軸６２４が挿通固定され、その回りに水平に回転する第１上ガード材６２５が支持されている。この第１上ガード材６２５の全長はサイドガードブロック６２０，６２０上に乗り掛かるようにこれらブロック６２０，６２０のなす最大外幅に対応するものとされるとともに、その両端は安全のため丸みを持たせてある。
【００４５】  同第１上ガード材６２５は、幅がサイドガードブロック６２０と同じ５０ｃｍとされ、材質は、発泡スチロールブロックや木材、ＦＲＰなどの樹脂、鉄などの金属製とする。特に、これらの材料を使用する際、補強芯を通しておくと軽量で強いガードになるし、また一方、これら第１上ガード材６２５の外部に緩衝材を装備することもできる。
【００４６】  同第１上ガード材６２５は、一方のサイドガードブロック６２０上に平行に待機し、就寝する際に必ずあるいは地震を感知した際や余震が心配なときなど必要に応じて図２４の矢印のように取っ手６２６をもって回し先端が他方のサイドガードブロック６２０上に乗り掛かるように操作しておく。この際、第１上ガード材６２５は図２４のように就寝する人の頭上を外れた位置関係になることから寝ていても圧迫感が少なくなる。
【００４７】  ６２８は第２上ガード材で、縦軸６２９により第１段差部６２２上で水平回転自在に他方側のサイドガードブロック６２０に沿って装備され、必要に応じて矢印のように引き出されて先端が対向するサイドガードブロック６２０の第１段差部６２２上に乗り掛かるように操作されて待機状態とされる。第１段差部６２２はその際の回転ストッパとなる。尚、第１上ガード材６２５のストッパ６３０もサイドガードブロック６２０の先端上部に取り付けてある。第２上ガード材６２８も第１上ガード材６２０も同様のもので、前記のように各種に構成することができる。尚、第１上ガード材６２０あるいは第２上ガード材６２８、または双方からメッシュ状あるいは多孔板などの防護材が頭上に対応するように出没するように別装備されていてもよい。これはプッシュボタンでワンタッチ式で出てくるようにしてもよい。
【００４８】  尚、段差部は３段階以上にして上ガード材を３枚以上にすることもある。
また、上ガード材が回転したあとの定着のため、上ガード材とストッパ側との間に面ファスナやマグネット固定手段を装備することもできる。
さらに、第１・第２上ガード材は、同じサイドガードブロック側に縦軸で支持されていてもよいことは当然である。この場合、両上ガード材を繋いでおいて第１上ガード材を回せば第２上ガード材もそれに連動して回るように構成することができる。
また、上ガード材は、強化発泡スチロール（ＥＰＳ）で本体を形成しその外周を美装シートやＦＲＰで覆ってもよいし、内水の交換自在な水タンク型にしてもよい。
【００４９】  図２６に示す実施形態は、一方のサイドガードブロック６３２上に複数本平行リンク式に支持された上ガード材６３３…を連鎖材６３４で繋いでおいて必要に応じて図のように回転させることで上方からのガードを構成できるようにしたものである。この場合、上ガード材６３３の１つが目上にくるようになっているが、圧迫感をなくすためできるだけ目上から外れるようにする。上ガード材６３３…相互間にはメッシュを張ってガードとしてもよい。
なお、図２６の下欄左側にサイドガードブロック６３２の内部構造を示すように、同ブロック６３２は、強化発泡スチロール（ＥＰＳ）製の本体ブロック６３５の上面に緩衝材６３６を配し、その回りを合成皮革生地・ポリエステル生地・綿生地・ＰＶＣ生地・麻綿混合生地・不織布生地・綿７５％ポリエステル２５％混合生地などのいずれかでなる外装カバー６３７で被覆されてなる。前記サイドガードブロック６３２には、その上面を凹凸状にしたり中実部分に縦方向あるいは横方向または縦横双方向に丸形の貫通孔Ｘを明けて緩衝機能を発揮するようにしてもよい。この場合、貫通孔内に緩衝材を装入することもできる。これらのことは他の実施形態でも同様に適用できる。
さらに、サイドガードブロック６３２の両肩部分には、ＰＶＣクッションや合成ゴム、木材やアルミ型材などの緩衝機能材Ｃを貼り付けることがあり、この緩衝機能材Ｃは、緩衝材６３６とともにあるいは緩衝材６３６なしで装備するものとする。同図のように緩衝機能材Ｃはサイドガードブロック６３２の長手方向端部にも装備してもよい。
また、同図の右欄に示すように、サイドガードブロック３２は、下層体ＥがＥＰＳ（強化発泡スチロール）で上層体Ｆが一般的で安価な発泡スチロールとすることもできる。この場合、上層体Ｆの上に緩衝防護板Ｄを配す場合とそうでない場合とがある。緩衝防護板Ｄは２層あるいは３層などいずれでもよい。
さらに、下欄に示すように、中間層Ｆに一般的な発泡スチロールを、上下にＥＰＳ材を挟んだものにしてもよい。この場合、上下層Ｅ，Ｅは図示よりさらに薄層とし中間層Ｆを厚層として全体を安価に仕上げる一方において中間層Ｆが緩衝作用を有効に発揮できるようにすることもできる。また、同図を右に９０度回転させた姿勢のものにしてもよい。
【００５０】  図２７の実施形態は、図２１に示すサイドガードブロック６０５を和寝具６０１，６０３…の左右両脇に定着配置しその一部に段差部６０７を形成するとともにその外面を美装カバーで覆ったタイプの地震用の安全防護装置を示している。
尚、サイドガードブロック６０５は段差部６０７付きのものであったが、右欄のようにブロック６０５を上面が平坦なままで底部中途に凹溝ａを加工したものにしてもよく、この場合、Ｖ−Ｖ線断面のように溝底はａのように上面に平行な面で応力集中のないようにＲ部を有する凹溝としたり、仮想線ａ−１のように一側へ浅溝形にしてもよい。又、逆偏平Ｖ形溝ａ′にしたり仮想線ａ′−１のように湾曲状溝にしてもよい。Ｖ形溝ａ′のＲ部は丸く形成して割れを防止することができる。
【００５１】  同図のようなサイドガードブロック６０５は、図２８に示すように裏返して矢印のように寄せ合わされるとともに段差部６０７に相当するサイズとしたサブブロック６３６をそれぞれ段差部６０７に嵌め入れることでその上に図２９のような和寝具６０１，６０３を敷設すればベッドベースとして使えるものである。
ここにおいて、両サイドガードブロック６０５同士やサブブロック６３６同士、サイドガードブロック６０５とサブブロック６３６同士は、面ファスナーや他の止着具により適宜連結する。
尚、この状態で地震を感じ避難する場合、サブブロック６３６，６３６を矢印Ｘ方向あるいはＹ方向に抜き去り、そこにできた段差空間を、避難空間として避難することもできる。
【００５２】  また、図３０に示すように、サブブロック６３６付のサイドガードブロック６０５を左右に引き離し、その間にできる空間を避難空間として避難することもできる。この場合、同図のように避難者はその身上に和寝具６０３等を掛けるようにすればより安全性は向上する。
【００５１】  図３１ないし図３４は、和寝具７００に就寝している人を地震での家屋倒壊から護るためになされた他の実施形態を示す。７０１は外装付のサイドガードブロック（ＥＰＳ）で、同サイドガードブロック７０１はその上面に段差部７０２を有し、和寝具７００の左右一対をもって構成されている。寸法は上記実施形態を基本としている。
【００５２】  一方のサイドガードブロック７０１には、段差部７０２より上に段と下の段にそれぞれ１本ずつの上ガード材７０３が平行状に設けられ、それぞれが回転軸７０４で水平回転自在に支持されている。
【００５３】  各上ガード材７０３は左右のサイドガードブロック７０１のなす外幅に略対応する長さをもち、上記実施形態のようにＥＰＳに外装を施したものになっている。また、各上ガード材７０３の就寝する人の側には、取っ手７０５が取り付けられている。
【００５４】  これら両サイドガードブロック７０１は、図３２に示すように固定される。畳７０７の上には粘着パッド７０８が左右一対貼り付けられ、その上に下側面ファスナー７０９が渡されるようにして貼り付けられる。同ファスナー７０９は、長尺物をＸ箇所でカットして所要の長さにする。一方、サイドガードブロック７０１側の底面には、同図右欄に示すように上側面ファスナー７１０が貼り付けられ、これら上下の面ファスナー７１０，７０９によりサイドガードブロック７０１が所定位置に固定されるようになっている。面ファスナー７０９をステープルで畳７０７側に固定してもよい。面ファスナー７０９，７１０はマグネット平板式のものでもよい。
【００５５】  地震に対処する場合、図３４のように、取っ手７０５を把持し手前に引くことにより上ガード材７０３を水平に回転させ相手のサイドガードブロック７０１上に先端が乗り掛かるようにする。両上ガード材７０３は上下に段差をもつので干渉するようなことはなく、いずれを先に操作しても両者を確実に図のように展開操作することができるのである。
【００５６】  尚、サイドガードブロック７０１には、図３１に示すように、収納部７１１を構成することもできる。同収納部７１１は、同図右欄のように、サイドガードブロック７０１の凹み内に嵌るボックス７１２と蓋７１３の組み合わせにしてもよく、凹みそれ自体をボックス代わりとしそれに蓋７１３を付したものにしてもよい。この場合、蓋なしにすることもある。収納部７１１は、図３２の右欄に示すように、サイドガードブロック７０１に段差部を追加形成し、その段差内に同収納部７１１を構成してもよい。これら収納部７１１は、収納物の重量によってサイドガードブロック７０１の定着性を向上させる。
また、上ガード材７０３は、図３４に仮想線および破線で示すように、展開後に矢印方向に出し入れ自在な補助ガード７１４をそれぞれ装備しておき、必要に応じて引き出すようにすると防護性能が向上する。この場合、補助ガード７１４を透明あるいは半透明なポリカーボネートなどの強靭で軽い樹脂を使用したり、多孔材や網状面材などを使用することもできる。互いの補助ガード７１４を連結可能にすることもできる。
さらに、上ガード材７０３は、図３４の左欄に示すように、一端をそれぞれ回転軸７０４で回転自在に支持してサイドガードブロック７０１上に待機させておくことにより、上からみて大きくＸ字形に展開するように構成することもできる。この場合、両上ガード材７０３は展開時に互いに干渉しない高さ関係とする。そのため、一方の上ガード材７０３は回転軸７０４の個所においてガタを設けておき他方の上ガード材７０３上に乗せ掛け得るように構成してもよい。
さらに、前記サイドガードブロック７０１は、図３４の右欄に示すように、上ガード材７０３を備えた一方のみで構成することができる。この場合、両上ガード材７０３を図示のように９０度展開して平行状態にする必要はなく、例えば、それぞれの先端部が重なり合うようにＶ字状をなすようにあるいはＸ字状をなすようにすることもできる。
【００５７】  Ｘ字形に展開できる他の実施形態を図３５ないし図３７に示す。
上ガード材７０３は一対のもので、その一方７０３は、回転軸７０４でサイドガードブロック７０１の頭部側の上面に回転自在に支持され、他方７０３は、同一方７０３上の中点に回転軸７０４を介してその中途点を回転自在に支持されている。
【００５８】  地震対策をするときは、図３５のように、取っ手７０５を引くと、両上ガード材７０３，７０３が内側に回転し、その先端を他方のサイドガードブロック７０１上に乗せ掛けたあとは前記他方７０３を図３７に示すように一方７０３を基準にして展開させてＸ字形になるようにし地震対策はこれで完了する。
前記取っ手７０５は、当たっても良いゴムなどの軟質材か樹脂に軟質材を被覆したものが好ましい。
【００５９】  図３８の実施形態は、サイドガードブロック７１６を上下の分割ブロック（ＥＰＳ）７１７…で構成して重合し外装材７１８で被覆してなるものである。この分割数は２個であり、長さの異なるものになっている。前記のような一体物からその一部を切り取るものに比べ分割ブロック７１７それぞれをカットすることができて製作が簡単である。
分割ブロック７１７の相互は、固定しないものと、接着や止着によるものとがある。
尚、上側の分割ブロック７１７は下側の分割ブロック７１７と同じ長いものにすることもある。
【００６０】  図３９の実施形態は、図３８の分割式のものの上下間に介装材７２０を入れたり、分割ブロック７１７の上面に上受材７２１を備えたりして、倒壊からの負荷を緩和してブロック全体が割れないように緩衝するようにしたものである。
介装材７２０や上受材７２１は、分割ブロック７１７に過剰な応力が作用しないようにして水平面方向へ力を拡散するためのもので、例えば、ベニヤ板、ゴム板、樹脂板、金属板、低反発質発泡ウレタンマット、木質板などを択一的にあるいは組み合わせ的に構成することができる。同図右上欄に示すものは、上にゴム板を下にベニヤ板を重合したものである。
尚、上側の分割ブロック７１７は下側の分割ブロック７１７と同じ長いものにすることもある。
【００６１】  図４０の実施形態は、分割ブロック７２３を同じ厚みのＥＰＳを更に多くの枚数としたもので、これにも上受材や介装材などの緩衝材７２４…を付加することができ、さらに、右欄に示すようにゴム板とベニヤ板との重合にすることができる。
尚、図３８〜４２の実施形態において、全てをＥＰＳ材とする以外に、ＥＰＳより低性能の発泡スチロール材を適宜にＥＰＳ材と組み合わせて全体を重合構成することができる。この場合、最も上層と下層をＥＰＳとしその間を低性能の発泡スチロール材とすることができる。
また、図４０の右下欄に示すように、分割ブロック７２３を複数枚重合して構成したものにおいて、その最も下層のものは、全長の１／３程度に短い一対のもの７２３′としその間にスペースＳを形成して上方からの倒壊負荷を緩衝するように構成することもあり、この場合、少しでも材料費を安くすることもできるとともに収納部にすることもできる。
【００６２】  図４１の実施形態は、厚みのある分割下ブロック７２６とそれより薄い分割上ブロック７２７からサイドガードブロックを構成したものである。
尚、上側の分割ブロック７２７は下側の分割ブロック７２６と同じ長いものにすることもある。
図４２の実施形態は、厚みのある分割上ブロック７２９とそれより薄い分割下ブロック７３０からサイドガードブロックを構成したものである。
尚、上記では上下に分割したが左右に分割してもよい。上側の分割ブロック７２９は下側の分割ブロック７３０と同じ長いものにすることもある。
【００６３】  図４３から図４６に示す実施形態は、実線の待機状態から、地震感知に応じて防護態勢に入る場合や地震感知に関係なしで防災態勢で就寝したい場合など必要に応じて仮想線の状態にすることのできるタイプの防災装置に関する。
【００６４】  ７３３はＥＰＳ製で外装付のガードブロックで、同ガードブロック７３３は、一側に凹み（安全空間）７３４を有しその両側に脚部７３５を有するもので、凹み７３４内には取っ手７３６を備えるとともに、上面となる面には、その両脇に緩衝材７３７が付されている。緩衝材７３７は、ゴムや金属、木材などが選択される。また、両緩衝材７３７間の上面にも緩衝面材７３８を貼り付けてもよい。図４５のようにガードブロック７３３の面内には、上窓７３９を設けておいてもよい。
【００６５】  このガードブロック７３３は、寝ている人の頭上に凹み７３４が手前に向くようにして立て掛けて配置しておき、前記必要時は、図４４の矢印のように和寝具上に対応するように伏倒させる。
これにより、倒壊があっても寝ている人はガードブロック７３３により護られる。
【００６６】  尚、ガードブロック７３３は、図４３に示すように、本体７４０と脚体７４１とで別体型としてもよい。これらは止着具７４２により合体したり接着や縫い合わせなどで合体してもよい。この場合、図４３の最も左欄に示すように脚体７４３は長いものでなく四角ブロック状のものにしてもよい。
【００６７】  また、ガードブロック７３３は、固定しなくてもよいが、図４６に示すように、畳７４４上の所定位置に下面ファスナー７４５を貼り付けておき、その上にガードブロック７３３側の上面ファスナー７４６を貼り付ける要領でガードブロック７３３を固定するようにしてもよい。この場合、同図右欄に示すように、下面ファスナー７４５はステープル７４７…で止め付けるようにしてもよい。
【００６８】  図４３のようなガードブロック７５０を和寝具の一側方に立て掛けて待機させ、和寝具の方向に伏倒させて倒壊から護ることが出来るように構成してもよい。このガードブロック７５０は、図４３の右欄に示すように、やや短いものにしてもよく、この短いものを複数用意して対処するようにしてもよい。
【００６９】  図４７および図４８の実施形態は、和寝具８００の両横サイドにサイドガードブロック８０１，８０１を配備して地震に伴う倒壊から寝ている人をガードするようにした安全装置で、図４７に仮想線で示すようにサイドガードブロック８０１，８０１上間に２本（１本でも３本以上でもよい）の上ガード材８０２，８０２を渡架して倒壊からの防護をより確実化させるようにしたもので、上ガード材８０２はサイドガードブロック８０１に枢支されていたりして取り付けられているものでなくフリーな部材としたもので、特に、その待機収納位置をサイドガードブロック８０１の底溝８０３内として取っ手８０４により矢印のように抜き出して図４７の仮想線位置にマウントしておけば防護可能となるものである。
【００７０】  サイドガードブロック８０１は、上記各種実施形態と同様のものを使用できる。
また、図４８左側に仮想線で示すように、Ｌ字形で一様な断面をなす上ガード材８０６で構成することがあり、この場合、各サイドガードブロック８０１上に１本ずつの上ガード材８０６を載せておくタイプと、一方のサイドガードブロック８０１上に一対の上ガード材８０６，８０６を載せておくタイプ（この場合左右のサイドガードブロック８０１，８０１上に一対ずつの上ガード材８０６を載せておくタイプでもよい）とがあり、これらの態様は上記に限定されない。上ガード材８０６はサイドガードブロック８０１に対しフリーで載せておいてもよいが、面ファスナーやマグネットなどで仮固定しておくのもよい。
【００７１】  また、例えば、図４８の左側の一対の上ガード材８０６，８０６はそれぞれをフリーにしてあるいは面ファスナーなどで係着関係にして、渡架するようにすれば強度も高い上ガードが得られる。フリーにして渡架する場合、それぞれの山部を上に向けたりその向きや間隔は自由にできる。重ね合わせて渡架する場合は、背中合わせにしたり同じ向きに重ね合わせるなどして渡架すれば強度的に十分な上ガードが得られる。左下欄に示すように、サイドガードブロック８０１の一部に溝８０７を形成しておいてそこに上ガード材８０６が嵌り合うようにしてもよい。
【００７２】  さらに、右側に仮想線で示すように、サイドガードブロック８０１の上面と側面にわたるような大きなＬ形をした上ガード材８０６にしてもよい。この場合、他方のサイドガードブロック８０１にも同じＬ形の上ガード材８０６を装備しておくこともでき、図４８の左側の上ガード材８０６と右側の上ガード材８０６の異なる組み合わせにしてもよい。
また、前記上ガード材８０６はＬ形のままで渡架されるようにしたが、このＬ形のものがその中間でヒンジで展開できるように構成して平板状にしたものを渡架するようにしてもよい。ヒンジなしで上ガード材８０６の内部のガード本体が２枚に分かれておりそれらがつながっておらず自由に曲げ得るようなものにしてもよい。
【００７３】  さらに、上ガード材８０６を平板型として、図４８の右下欄に示すように、サイドガードブロック８０１の側面の一方あるいは両面に装備しておくようにしてもよい。
また、上ガード材８０６の材質はここで限定されず、木材・樹脂。金属などが適用され、その表面には緩衝材が設けられる。
【００７４】  図４９は、本発明に係る建築構造物の補強施工方法を現実のものとした一実施形態を示す。
同図において１はマンションで、図では同マンション１を断面にして示してある。同マンション１内には、その幅間中央列には１階から８階までの全ての部屋に強化発泡スチロール（ＥＰＳ）でなる充填材２…を充填してある。この場合、充填材２は、模式的に１つのブロックとして示してあるが、実際には、建築構造物はそのままであるので部屋内に同ブロックをそのまま搬入することができない。そのため、図５０に示すようにやや薄目に複数枚に分割したもので充填材３…を構成し、例えば、ベランダ側の窓口を通じて搬入したあと室内で積層施工するものとする。また、図５１に示すように、多少厚めの発泡スチロール製ブロックでなる充填材４と薄目の発泡スチロール製でなる充填材５とを組み合わせることもできる。
尚、図５１の右欄に示すように、１面が勾配状の充填材６，６を組み合わせて高さ調節可能にしてもよい。両者間の固定は、接着や止め具、巻き付けなどによる。発泡スチロールは、発泡スチロール混合軽量コンクリートでもよい。
【００７５】  隙間調整用として積層するものは、発泡スチロールの薄板以外にベニヤや布団、座布団、その他木材や廃棄タイヤなどでもよい。施工高さは床スラブ上と当該階上の床スラブ（天井スラブ）間に一杯に積層するものとする。多少の隙間を敢えて残すこともある。
【００７６】  尚、図４９では中央１列に充填材を充填したが、その他の列に充填してもよい。
【００７７】  図５２の実施形態は、マンション１の全ての部屋に対して充填材８…を充填したものである。そのうちの不要なものを充填せずに残すことがある。
尚、同図の充填材８はブロック状で簡易表示してあるが、他の実施形態で示すタイプを全て適用できる。また、積層方式も同図右下欄に示すように充填材９を縦置き式を下部としその上部に上下積層式に充填して高さ一杯に充填するようにしてもよい。
【００７８】  図５３の実施形態は、その積層の具体的方法を示す。幅１ｍで長さ２ｍの一般サイズの発泡スチロールを適当な厚みにした充填材１１…を縦向きに積層しそれを２列配備してその上あるいは下、または中間に隙間調整用の充填材１２…を挟み込むことで全体を構成してある。
【００７９】  図５４に示す実施形態のように、床から天井までの高さよりも少し低い程度の発泡スチロールでなる充填材１４…を本棚の本のように縦向きにしてこれらをバンド１５で縛り付けるとともにその上部あるいは下部にベニヤや発泡スチロールなどの隙間調整用の充填材１６…をスペーサとして差し込むようにしてもよい。バンド１５はマンションへの吊り込みの際にも利用できる。
【００８０】  図５５および図５６に示す実施形態は、より具体的に、柱１８と側壁１９およびスラブ２０を構成したＲＣ構造マンションの空き部屋内に、ブロック状の充填材２１…の数個とスペーサとしての充填材２２…とを組み合わせてできるだけ柱１８と側壁１９に近接する形で積層充填したものである。尚、充填材２２，２２間には施工のための作業通路が残されている。
【００８１】  図５７（縦断面図）の実施形態は、前記と同様に床・天井スラブ２４間に発泡スチロールでなる充填材２５…とスペーサでなる充填材２６…を積層して補強するものにあって、その下側の充填材２５に避難穴２７を空けておいて非常時この避難穴２７に飛び込むことでより安全確保ができるようにしたものである。
尚、同図のように離間した充填材の水平間にはターンバックル２８を介して確実にセッティングするようにしてもよい。
【００８２】  図５８（横断面図）に示す実施形態は、柱３０や側壁３１などで構成されたマンション室内に充填材３２…を設けるに際し、そのコーナーの柱３０に近接して充填材３２を配置するだけでなく、壁孔を明けて連鎖材やワイヤなどの絞り材３３を通して柱３０と充填材３２とを抱き持ち固定するようにしたものである。柱３０と充填材３２とがより一体化して補強が有効になされる。
【００８３】  図５９の実施形態は、前記縦１列のみとか全室とかの充填でなく、補強に必要不可欠な部屋のみの部分充填方法を示す。３５は充填材で、その充填は、マンション１の中央列の複数は不可欠であるが、その他は１，２階を不可欠とするもので、その他は適宜なるものである。
【００８４】  同図上欄左図および右図のように上階や必要の低い室内には、部分的な充填でもよい。
【００８５】  図６０の実施形態は、充填材３７…の搬入方法を示すもので、図示のように、マンション１の屋上に移動型でブームが伸縮自在な簡易クレーン３８を組み立て設置してある。同クレーン３８は、図示のように地上から制御可能にしてもよい。このクレーン３８は、マンション１に負担のない地上設置型のタワークレーンでもよい。
【００８６】  充填材３７はバンド３９で積層状態とされてクレーン３８で吊り上げられて所定の階のベランダ４０まで持ち込まれたあと、矢印のように所定の室内まで搬入されてそこで積層充填される。バンド３９はそのままにして積層のために使用してもよい。充填材３７は、積層状態で吊り上げずに１枚ずつ上下に連鎖状となるようにして吊り上げてもよい。
【００８７】  尚、同図に示すように、エレベータ４１を経由して玄関側から充填材を搬入することもできる。充填材は、四角や六角などの角棒状のものでもよく、充填施工においてこれらをバンドなどでまとめるようにしてもよい。
【００８８】  図６１の実施形態は、実際のマンション室内を示し、その中で使用しなくなった空き室を利用して充填材４３…を積層充填したものである。４４はベランダである。
【００８９】  図６２の実施形態は、一般木造一戸建て家屋に充填方式を適用したもので、例えば、１階の和室の畳上から天井に達するまで高く充填材４６…を積層充填したもので、この場合、畳の下側にも充填材４６を装入したり、天井を抜いて２階の床まで積層充填すればより有効的である。１階の余り利用されない部屋にも充填材４６を積層充填してもよく、また、２階室内にも積層充填してもよい。
図６３の実施形態は、ＥＰＳである強化発泡スチロール材を家屋倒壊に対する補強のために使用したものを示す。すなわち、８１０は既設木造家屋の柱で、同柱８１０に対し、横断面コの字形で上下に一様な断面に成形された縦長状の強化発泡スチロール材である主外補強材８１１がその溝を柱８１０回りに嵌合するようにして装着され、同補強材８１１の溝開口個所に同じく強化発泡スチロール材である前面カバー８１２を付して全体を柱８００に密着固定するようにしてある。これらの外周には、炭素繊維やアラミド繊維などによる密着補強シート８１３をぐるり巻き付け固着して更なる補強をしてもよい。
【００９０】  図６４の実施形態は、もなか合わせ型の主外補強材８１４，８１４により柱８１０のぐるりを補強したものである。この補強材８１４，８１４は、合わせて丸柱型になっているが、上記のように四角型や他の幾何学形状のものであってもよい。
【００９１】  図６５ないし図６７に示す他の実施形態は、既設木造住宅の倒壊や損壊を防止するためのものである。同実施形態を示す図６５において、９００は基礎コンクリートで、同コンクリート９００の上には土台９０１が敷設されるとともに、これら土台９０１や束受け９０２などを介して大引けや根太などの床下躯体９０３が構築され、その上を介して１階床材９０４…が敷設されている。ここでは、畳などは図示省略してある。
【００９２】  １階上部には、周囲の胴差９０５を介して間仕切桁・床大梁・床小梁などの横架材が構築されてその上に２階床材９０６が敷設されている。この床材９０６の底面には根太材が横架されるがここでは図示省略してある。前記間仕切桁などはここで下梁９０７…と総称する。
【００９３】  同じく２階天井部分には、妻梁９０８や軒桁などを介して上梁９０９が構築されるとともに、その上部には、小屋束や棟木、母屋などで構成される小屋組９１０が構築されている。
【００９４】  ここで、９１２は通し柱である中柱（外壁側でなく室内を通る柱の意味）で同中柱９１２は、が下梁９０７の縦横交差部分を通じて連結状態で通されるとともに上梁９０９の交差個所に下から連結してある。ここでは通し柱を中柱９１２としてあるが管柱が中柱となることもある。
【００９５】  こうした既設木造住宅の一例に対し、その耐震補強方法は、次のようになされる。
平面５０ｃｍ□・高さ４０ｃｍで中柱９１２のサイズの幅をもって一方に開く溝９１４をもつ主ブロック９１５と、その溝９１４に中柱９１２を残すようにして嵌り合う補助ブロック９１６とで１組とされた耐震組ブロックＡを全てＥＰＳ（強化発泡スチロール）製とし、これら複数の耐震組ブロックＡを各床材９０４，９０６上を介して１階と２階の選択した中柱（通し柱あるいは管柱）９１２周りに抱き合わせるようにして多段に積層してゆく。
【００９６】  積層した最も上段の耐震組ブロックＡと各上方の梁９０７，９０９との間には隙間が残るので、この間に耐震組ブロックＡよりも少し広い面積をもつ面受型の補填材９１８…を一定の詰まり具合になるまで所要枚数補填してゆく。図６５では１枚状、図６６では２枚あるいは３枚が図示されているがこれに限定されないことは言うまでもない。この補填材９１８は、ベニヤ・構造用合板・金属板・樹脂板などの板材が好ましく、これらの組み合わせでもよい。
【００９７】  この補填材９１８は、基本形を四角あるいは丸形とするが六角形や八角形など多角形にしてもよい。この補填材９１８にも中柱９１２に嵌り込む溝９１８ａが形成されており、図６６の右欄に示すように、溝９１８ａが互いに交差する関係で差し込むのが力伝達上および強度上好ましい。
【００９８】  梁９０７，９０９は、図６６に仮想線で示すように、四方交差状をなす関係で、補填材９１８がない場合には地震負荷が直接耐震組ブロックＡ上に伝わって高い応力を発生するのであるが、前記補填材９１８を介装しておくことで、針９０７，９０９からの地震負荷が一旦補填材９１８全面を通じて広く分散されることで下に積層の耐震組ブロックＡに格段に低い応力でもって伝わるようになる。したがって、補填材９１８が複数枚である場合にその上下間にゴムマット・硬質ウレタンなどの緩衝材を挟み込むと広い面積を介して有効に緩衝作用が働き、また、梁９０７，９０９と補填材９１８との間や補填材９１８と耐震組ブロックＡとの間に緩衝材を介装しても同様の作用がある。補填材９１８と耐震組ブロックＡとの間に緩衝材を介装する場合も広い面積で効果的な緩衝作用が得られる。
【００９９】  尚、上下の耐震組ブロックＡ、Ａ同士は、図６６に示す爪９２０ａ付のスパイク金具９２０…により各段間ごとに移動せず一体に抵抗するように連結する。積層した耐震組ブロックＡの周りは、ふすま紙・炭素繊維・アラミド繊維シートなどによる外装プロテクター９２１で強く巻き締めて積層物全体を更に一体・１本化するように固締する。
【０１００】  尚、床下地盤９２２上には四角ブロック状の床下耐震ブロック（ＥＰＳ製）９２３…を床下工事を伴って積層し、床下躯体９０３との間に同様に補填材９１８を介装して隙間の補填と負荷の分散受担を行うようにする。尚、１階および２階の床材９０４，９０６上にも補填材９１８を介装してもよい。この場合、同補填材９１８とその下方にある補填材９１８とを連結固定してもよい。
【０１０１】  これにより、床下地盤９２２から２階までの細く古い中柱９１２が発泡スチロールで一体に囲まれた５０ｃｍ□の超大黒柱に返信し、この超大黒柱により地震時の家屋全体の倒壊を食い止めることができる。また、発泡スチロールという超軽量材を活用するので、施工が簡単で短期工事も実現でき、さらに、家屋に荷重負担を掛けることなく超軽量方式で地震時の超大負荷を受け止めることが可能になる。本施工には、倒壊を有効に防止するため、既設天井９２４や床板などの開設工事を行ったり、既設壁を取り除いたりする必要がある。
尚、図６５の実施形態では複数本（２本あるいは３本もしくはそれ以上）の中柱９１２を対象に耐震補強を施したが、勿論１本の中柱９１２のみを対象にして耐震補強をしてもよい。一方、複数本の中柱９１２を対象に耐震補強を施工する場合には、対角線上の中柱９１２を対象にしてもよい。また、図６６の補填材９１８相互はジャッキ式で高さ調節可能にしてもよい。さらに、１階と２階の耐震組ブロックＡ同士を相互連結するようにしてもよいし、１階と床下のブロック相互を連結するようにしてもよい。
また、小屋組９１０内の小屋束９１９周りにも耐震組ブロック９１７を積層し補填材９１８で受けるようにしてもよい。
【０１０２】  図６８の実施形態は、帽子９２６に樹脂製プロテクター９２７を内装して折り返し内ベルト９２８に下縁を挟み込むようにして固定化するようにしたものを示し、特に、プロテクター９２７は、実公平６−２３５２６号と同様のものであるがその側面部分がスリット９２９…の存在で弱体でそのまま転倒すると側頭部を打つおそれがあることから、同プロテクター９２７の側面部にゲル状で粘着式の緩衝材９３０を粘着して対処し、プロテクター９２７の下縁部とともに折り返し内ベルト９２８内に収まるようにしたものである。
尚、緩衝材９３０は、プロテクター９２７の内面に備えたり、内外両面に備えてもよい。
【０１０２】  図６９の実施形態は、帽子９３２にプロテクター９２７を内装したものにおいて、プロテクター９２７の側部に開けた通し孔９３３にあご紐９３４を通したものにあって、そのあご紐９３４をも含めて緩衝材９３５で覆ったものである。
【０１０３】  図７０の実施形態は、帽子９３７のクラウン基部周りに装飾バンド９３８を備えたものにおいて、そのバンド９３８内芯に緩衝材９３９を内装して転倒からの危険をなくすようにしたものである。
図７１の実施形態のように、帽子９４１の前周りに結び型の装飾バンド９４２を備えたタイプのものについてもその内芯として緩衝材９４３を備えることもできる。
【図面の簡単な説明】
【０１０４】
【図１】分割合体式ベッドベースの例を示す斜視図。
【図２】他の実施形態を示す避難応用例の斜視図。
【図３】他の実施形態を示す図１８の平面図。
【図４】図３の側面図。
【図５】図３の実施形態の作用図。
【図６】外装カバー付ベッドベースを示す一部切り欠き外観図。
【図７】他の実施形態を示すベッドベースの断面図。
【図８】他の実施形態を示すベッドベースの断面図。
【図９】他の実施形態を示すベッドベースの断面図。
【図１０】他の実施形態を示す図２５の横断面平面図。
【図１１】図１０の縦断面図。
【図１２】他の実施形態を示す横断面平面図。
【図１３】図１２の縦断面図。
【図１４】他の実施形態を示す平面図。
【図１５】図１４の側面図。
【図１６】他の実施形態を示す平面図。
【図１７】図１６の側面図。
【図１８】他の実施形態を示す平面図。
【図１９】図１８の側面図。
【図２０】図１９の右側面図。
【図２１】他の実施形態を示す平面図。
【図２２】図２１の縦割り側面図。
【図２３】図２１のＸ矢視図。
【図２４】他の実施形態を示す平面図。
【図２５】図２４の側面図。
【図２６】他の実施形態を示す平面図。
【図２７】他の実施形態を示す斜視図。
【図２８】サイドガードブロックにサブブロックを組み合わせる状態を示す斜視図。
【図２９】ベッドベースを構成し和寝具を構成した例を示す斜視図。
【図３０】地震時の避難状況を示す斜視図。
【図３１】他の実施形態を示す平面図。
【図３２】図３１の側面図。
【図３３】図３１、図３２の分解図。
【図３４】図３１の防災対策時の様子を示す平面図。
【図３５】他の実施形態を示す平面図。
【図３６】図３５の左側面図。
【図３７】図３５の実施形態の地震対策時の様子を示す平面図。
【図３８】サイドガードブロックを分割式にした例を示す説明図。
【図３９】サイドガードブロックを分割式にした他の例を示す説明図。
【図４０】サイドガードブロックを分割式にした他の例を示す説明図。
【図４１】サイドガードブロックを分割式にした他の例を示す説明図。
【図４２】サイドガードブロックを分割式にした他の例を示す説明図。
【図４３】他の実施形態を示す平面図。
【図４４】図４３の側面図。
【図４５】図４３の右側面図である正面図。
【図４６】ガードブロックの固定方法を示す平面図。
【図４７】他の実施形態を示す平面図。
【図４８】図４７の正面図。
【図４９】本発明の一実施形態を示すマンション正面からの断面斜視図。
【図５０】他の実施形態を示す充填材の斜視図。
【図５１】他の実施形態を示す充填材の斜視図。
【図５２】他の実施形態を示すマンション正面からの断面斜視図。
【図５３】他の実施形態を示す充填材と隙間調整用充填材の斜視図。
【図５４】他の実施形態を示す充填材と隙間調整用充填材の斜視図。
【図５５】室内への充填方式を示す横断面図。
【図５６】図５５の縦断面図。
【図５７】他の実施形態を示す縦断面図。
【図５８】他の実施形態を示す横断面図。
【図５９】他の実施形態を示すマンション正面からの断面斜視図。
【図６０】他の実施形態を示す搬入方法の側面図。
【図６１】他の実施形態を示す横断面図。
【図６２】他の実施形態を示す木造家屋への適用例である正面図。
【図６３】他の実施形態を示す横断面図。
【図６４】他の実施形態を示す横断面図。
【図６５】他の実施形態を示す正面からの縦断面図。
【図６６】施工要領を示す分解斜視図。
【図６７】図６５の要部横断面図。
【図６８】他の実施形態を示す緩衝材付帽子の一部切り欠き側面図。
【図６９】他の実施形態を示す一部切り欠き斜視図。
【図７０】他の実施形態を示す側面図。
【図７１】他の実施形態を示す斜視図。
【符号の説明】
【０１０５】  ５０、１０７…ベッドベース  ６０５，６２０，６３２，７０１８０１…サイドガードブロック  ７０３，８０２…上ガード材。
【図１】
2007195940.tif 000003
【図２】
2007195940.tif 000004
【図３】
2007195940.tif 000005
【図４】
2007195940.tif 000006
【図５】
2007195940.tif 000007
【図６】
2007195940.tif 000008
【図７】
2007195940.tif 000009
【図８】
2007195940.tif 000010
【図９】
2007195940.tif 000011
【図１０】
2007195940.tif 000012
【図１１】
2007195940.tif 000013
【図１２】
2007195940.tif 000014
【図１３】
2007195940.tif 000015
【図１４】
2007195940.tif 000016
【図１５】
2007195940.tif 000017
【図１６】
2007195940.tif 000018
【図１７】
2007195940.tif 000019
【図１８】
2007195940.tif 000020
【図１９】
2007195940.tif 000021
【図２０】
2007195940.tif 000022
【図２１】
2007195940.tif 000023
【図２２】
2007195940.tif 000024
【図２３】
2007195940.tif 000025
【図２４】
2007195940.tif 000026
【図２５】
2007195940.tif 000027
【図２６】
2007195940.tif 000028
【図２７】
2007195940.tif 000029
【図２８】
2007195940.tif 000030
【図２９】
2007195940.tif 000031
【図３０】
2007195940.tif 000032
【図３１】
2007195940.tif 000033
【図３２】
2007195940.tif 000034
【図３３】
2007195940.tif 000035
【図３４】
2007195940.tif 000036
【図３５】
2007195940.tif 000037
【図３６】
2007195940.tif 000038
【図３７】
2007195940.tif 000039
【図３８】
2007195940.tif 000040
【図３９】
2007195940.tif 000041
【図４０】
2007195940.tif 000042
【図４１】
2007195940.tif 000043
【図４２】
2007195940.tif 000044
【図４３】
2007195940.tif 000045
【図４４】
2007195940.tif 000046
【図４５】
2007195940.tif 000047
【図４６】
2007195940.tif 000048
【図４７】
2007195940.tif 000049
【図４８】
2007195940.tif 000050
【図４９】
2007195940.tif 000051
【図５０】
2007195940.tif 000052
【図５１】
2007195940.tif 000053
【図５２】
2007195940.tif 000054
【図５３】
2007195940.tif 000055
【図５４】
2007195940.tif 000056
【図５５】
2007195940.tif 000057
【図５６】
2007195940.tif 000058
【図５７】
2007195940.tif 000059
【図５８】
2007195940.tif 000060
【図５９】
2007195940.tif 000061
【図６０】
2007195940.tif 000062
【図６１】
2007195940.tif 000063
【図６２】
2007195940.tif 000064
【図６３】
2007195940.tif 000065
【図６４】
2007195940.tif 000066
【図６５】
2007195940.tif 000067
【図６６】
2007195940.tif 000068
【図６７】
2007195940.tif 000069
【図６８】
2007195940.tif 000070
【図６９】
2007195940.tif 000071
【図７０】
2007195940.tif 000072
【図７１】
2007195940.tif 000073